(57)【要約】【課題】  場の雰囲気を盛り上げると共に利用者を飽きさせない背景映像を出力し得る音楽再生装置を提供する。【解決手段】  演奏曲の選曲回数を前記ジャンル毎に統計してランク付けするランキング統計手段１０２と、そのランキング統計手段１０２により統計されたランキングに基づいて上位のジャンルから優先的に所定のセンタ装置１６へそのジャンルと対応付けられる背景映像を出力させるための背景映像情報の送信を要求する映像送信要求手段１０４とを、含むことから、前記センタ装置１６からその要求に従った背景映像情報が送信されるので、頻繁に演奏されるジャンルの背景映像を適宜変更することができ、同じ背景映像が連続して出力されるのを好適に防止できる。【選択図】  図４
2006084493.tif 000002
【特許請求の範囲】
【請求項１】
予め定められた複数のジャンルのうち少なくとも１つのジャンルにそれぞれ属する多数の演奏曲から選曲された所定の演奏曲を出力させると共に、該演奏曲のジャンルと対応付けられた所定の背景映像を出力させる音楽再生装置であって、
前記演奏曲の選曲回数を前記ジャンル毎に統計してランク付けするランキング統計手段と、
該ランキング統計手段により統計されたランキングに基づいて上位のジャンルから優先的に所定のセンタ装置へ該ジャンルと対応付けられる背景映像を出力させるための背景映像情報の送信を要求する映像送信要求手段と
を、含むことを特徴とする音楽再生装置。
【請求項２】
予め定められた複数のジャンルのうち少なくとも１つのジャンルにそれぞれ属する多数の演奏曲から選曲された所定の演奏曲を出力させると共に、該演奏曲のジャンルと対応付けられた所定の背景映像を出力させる音楽再生装置に対して、所定のセンタ装置から該背景映像を出力させるための背景映像情報を配信する配信システムであって、
前記音楽再生装置は、
前記演奏曲の選曲回数を前記ジャンル毎に統計してランク付けするランキング統計手段と、
該ランキング統計手段により統計されたランキングに基づいて上位のジャンルから優先的に前記センタ装置へ該ジャンルと対応付けられる背景映像を出力させるための背景映像情報の送信を要求する映像送信要求手段と
を、含むものであり、
前記センタ装置は、
前記映像送信要求手段により要求された背景映像情報を前記音楽再生装置へ送信する要求映像送信手段を含むものであることを特徴とする配信システム。
【発明の詳細な説明】
【技術分野】
【０００１】
本発明は、多数の演奏曲から選択される所望の演奏曲を出力させると共に、その演奏曲に対応する所定の背景映像を出力させる音楽再生装置及びその音楽再生装置に背景映像を配信する配信システムの改良に関する。
【背景技術】
【０００２】
多数の演奏曲から選択される所望の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
一般的なカラオケ装置において、前記多数の演奏曲は、予め定められた複数のジャンルのうち少なくとも１つのジャンルにそれぞれ属するものであり、その演奏曲のジャンル毎に異なる背景映像が出力されるように予め定められている。ところで、カラオケ演奏では、場の雰囲気を壊さないために同一のジャンルに属する曲が連続して演奏されることが多く、同じ背景映像が立て続けに出力されて利用者を飽きさせる可能性が指摘されていた。この不具合を解消するために、演奏曲の内容に沿った背景映像を出力させるための技術が提案されている。例えば、特許文献１に記載された通信カラオケシステムがそれである。この技術によれば、演奏曲の歌詞中に含まれるキーワードに対応する背景映像をその演奏曲の演奏に際して出力させることで、演奏曲の内容に沿った背景映像を出力させることができるとされている。
【０００４】
【特許文献１】特開２００１−３４２７５号公報
【０００５】
しかし、前記従来の技術では、形式的には歌詞の内容を反映しながらその実、全く内容と関係のない背景映像が流れてしまう可能性が高く、却って利用者を興ざめさせるおそれがあった。カラオケ演奏において、場の雰囲気は無視できない大切な要素であることから、場の雰囲気を盛り上げると共に利用者を飽きさせない背景映像を出力し得る音楽再生装置の開発が望まれていた。
【発明の開示】
【発明が解決しようとする課題】
【０００６】
本発明は、以上の事情を背景として為されたものであり、その目的とするところは、場の雰囲気を盛り上げると共に利用者を飽きさせない背景映像を出力し得る音楽再生装置及び配信システムを提供することにある。
【課題を解決するための手段】
【０００７】
斯かる目的を達成するために、本第１発明の要旨とするところは、予め定められた複数のジャンルのうち少なくとも１つのジャンルにそれぞれ属する多数の演奏曲から選曲された所定の演奏曲を出力させると共に、その演奏曲のジャンルと対応付けられた所定の背景映像を出力させる音楽再生装置であって、前記演奏曲の選曲回数を前記ジャンル毎に統計してランク付けするランキング統計手段と、そのランキング統計手段により統計されたランキングに基づいて上位のジャンルから優先的に所定のセンタ装置へそのジャンルと対応付けられる背景映像を出力させるための背景映像情報の送信を要求する映像送信要求手段とを、含むことを特徴とするものである。
【０００８】
また、前記目的を達成するために、本第２発明の要旨とするところは、予め定められた複数のジャンルのうち少なくとも１つのジャンルにそれぞれ属する多数の演奏曲から選曲された所定の演奏曲を出力させると共に、その演奏曲のジャンルと対応付けられた所定の背景映像を出力させる音楽再生装置に対して、所定のセンタ装置からその背景映像を出力させるための背景映像情報を配信する配信システムであって、前記音楽再生装置は、前記演奏曲の選曲回数を前記ジャンル毎に統計してランク付けするランキング統計手段と、そのランキング統計手段により統計されたランキングに基づいて上位のジャンルから優先的に前記センタ装置へそのジャンルと対応付けられる背景映像を出力させるための背景映像情報の送信を要求する映像送信要求手段とを、含むものであり、前記センタ装置は、前記映像送信要求手段により要求された背景映像情報を前記音楽再生装置へ送信する要求映像送信手段を含むことを特徴とするものである。
【発明の効果】
【０００９】
このように、前記第１発明によれば、前記演奏曲の選曲回数を前記ジャンル毎に統計してランク付けするランキング統計手段と、そのランキング統計手段により統計されたランキングに基づいて上位のジャンルから優先的に所定のセンタ装置へそのジャンルと対応付けられる背景映像を出力させるための背景映像情報の送信を要求する映像送信要求手段とを、含むことから、前記センタ装置からその要求に従った背景映像情報が送信されるので、頻繁に演奏されるジャンルの背景映像を適宜変更することができ、同じ背景映像が連続して出力されるのを好適に防止できる。すなわち、場の雰囲気を盛り上げると共に利用者を飽きさせない背景映像を出力し得る音楽再生装置を提供することができる。
【００１０】
また、前記第２発明によれば、前記音楽再生装置は、前記演奏曲の選曲回数を前記ジャンル毎に統計してランク付けするランキング統計手段と、そのランキング統計手段により統計されたランキングに基づいて上位のジャンルから優先的に前記センタ装置へそのジャンルと対応付けられる背景映像を出力させるための背景映像情報の送信を要求する映像送信要求手段とを、含むものであり、前記センタ装置は、前記映像送信要求手段により要求された背景映像情報を前記音楽再生装置へ送信する要求映像送信手段を含むものであることから、前記音楽再生装置において頻繁に演奏されるジャンルの背景映像を適宜変更することができ、同じ背景映像が連続して出力されるのを好適に防止できる。すなわち、場の雰囲気を盛り上げると共に利用者を飽きさせない背景映像を出力し得る配信システムを提供することができる。
【実施例】
【００１１】
以下、本発明の好適な実施例を図面に基づいて詳細に説明する。
【００１２】
図１は、本発明の音楽再生装置の一実施例であるカラオケ装置１２及びそのカラオケ装置１２にコンテンツを配信するための配信システム１０について説明する図である。カラオケボックス、スナック、旅館等の店舗、或いは一般家庭等にそれぞれ設置された複数のカラオケ装置１２は、公衆電話回線等による通信回線１４を介してコンテンツ配信サービス提供会社のセンタ装置１６に接続されている。このセンタ装置１６は、カラオケ情報や背景映像情報等のデジタルコンテンツ（Digital Content）の保管や入出力管理等を行うサーバであり、上記カラオケ装置１２によって常に新しい曲が演奏可能とされるように、或いは所定の背景映像が出力可能とされるように、上記通信回線１４を介して複数のカラオケ装置１２に定期的に新譜カラオケ情報や所定の背景映像情報等の配信を行う。
【００１３】
図２は、上記カラオケ装置１２の構成を例示するブロック線図である。この図２に示すように、上記カラオケ装置１２は、ＣＲＴ等の映像表示装置２０と、映像情報デコーダ２２と、ビデオミキサ２４と、アンプミキサ２６と、スピーカ２８と、マイクロフォン３０と、操作パネル３２と、中央演算処理装置であるＣＰＵ３４と、ＲＯＭ３６と、ＲＡＭ３８と、記憶装置であるハードディスク４０と、モデム４２と、ＣＲＴコントローラ４４と、上記操作パネル３２等からの入力信号を処理する入出力インターフェイス４６と、音源であるシンセサイザ４８と、リモコン５４や電子早見本装置５６等の入力装置からのリモコン信号を受信するためのリモコン受信部５０と、その電子早見本装置５６等との間で無線ＬＡＮ通信を行うための無線ＬＡＮ通信部５２とを、備えて構成されている。
【００１４】
上記ＣＰＵ３４は、上記ＲＡＭ３８の一時記憶機能を利用しつつ上記ＲＯＭ３６に予め記憶された所定のプログラムに基づいて電子情報を処理・制御する所謂コンピュータであり、上記リモコン５４や電子早見本装置５６等により所定のカラオケ演奏曲が選曲された場合、その選曲されたカラオケ演奏曲を上記ＲＡＭ３８に設けられた予約曲リストに登録したり、その予約曲リストの演奏順に従って上記ハードディスク４０から上記ＲＡＭ３８に選曲されたカラオケ演奏曲の演奏情報及び歌詞情報等を読み出したり、カラオケ演奏曲の演奏が進行するのに応じてそのＲＡＭ３８から上記シンセサイザ４８へ演奏情報を送信したり、歌詞情報に基づいて歌詞文字映像を生成して上記ＣＲＴコントローラ４４へ送ったり、選曲時には曲名文字映像を生成して上記ＣＲＴコントローラ４４へ送ったり、上記映像情報デコーダ２２を制御して所定の背景映像を再生させる等の基本的な制御を実行する。
【００１５】
前記操作パネル３２は、前記カラオケ装置１２の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１２には、前記操作パネル３２の一部機能を遠隔で実行するための入力装置として機能するリモコン５４及び電子早見本装置５６が備えられており、前記リモコン受信部５０は、それら入力装置から送信されるリモコン信号を受信して前記ＣＰＵ３４へ供給する。また、前記無線ＬＡＮ通信部５２は、前記電子早見本装置５６との間で無線ＬＡＮ通信を行うことによりその電子早見本装置５６からの選曲入力を受け付けたり、前記カラオケ装置１２から電子早見本装置５６へ所定の処理を実行させるための指令を送信したりというように、電波を介して前記カラオケ装置１２と電子早見本装置５６との間における相互の情報のやりとりを行う。
【００１６】
前記映像情報デコーダ２２は、利用者が歌詞を参照しながら歌を歌う際に前記ハードディスク４０に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ２２により再生された背景映像は、前記ビデオミキサへ送られる。また、前記ＣＲＴコントローラ４４は、前記ＣＰＵ３４において生成された歌詞文字映像等の文字映像（テロップ）を出力する文字映像出力装置であり、前記ビデオミキサ２４は、前記ＣＰＵ３４において生成され且つ前記ＣＲＴコントローラ４４から出力される文字映像と、前記映像情報デコーダ２２により再生される背景映像とを合成して前記映像表示装置２０に表示させる映像合成装置である。
【００１７】
前記シンセサイザ４８は、前記ハードディスク４０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ４８により生成された音楽信号は、アナログ信号に変換されて前記アンプミキサ２６へ送られる。そのアンプミキサ２６では、送られてきた音楽信号と前記マイクロフォン３０を介して入力される利用者の歌声とがミキシングされ、それらの信号が電気的に増幅されて前記スピーカ２８から出力される。
【００１８】
ここで、図４に示すように、前記ハードディスク４０には、前記演奏曲を出力させるための多数のカラオケ情報を記憶するカラオケデータベース５８と、前記背景映像を出力させるための複数の背景映像情報を記憶する背景映像データベース６０と、前記演奏曲の選曲回数を統計してランク付けした選曲ランキングを記憶するランキングデータベース６２とが設けられている。
【００１９】
本実施例のカラオケ装置１２により演奏される多数の演奏曲は、予め定められた複数（例えば、６４種類）のジャンルのうち少なくとも１つのジャンルにそれぞれ属するものである。上記カラオケ情報は、演奏音を生成するための演奏情報及び歌詞文字映像（歌詞テロップ）を生成するための歌詞情報から成るものであり、コンテンツＩＤである各演奏曲に固有の選曲番号により識別される。上記カラオケデータベース５８には、例えば、選曲番号により識別される各演奏曲のカラオケ情報すなわち曲名、歌手名、及びジャンル等を含むタイトル情報、ＭＩＤＩ形式の演奏情報、及び歌詞情報等が記憶されるようになっている。
【００２０】
前記背景映像情報は、前記背景映像を出力させるための映像情報であり、例えば、ＭＰＥＧ形式の映像データである。この背景映像情報は、それぞれ前記演奏曲のジャンルと対応付けられており、前記カラオケ装置１２による演奏曲の出力に際して、その演奏曲のジャンルと対応付けられた背景映像情報が前記背景映像データベース６０から読み出されて前記映像情報デコーダ２２に送られ、その映像情報デコーダ２２により復号された後、前記ビデオミキサ２４において歌詞文字映像と合成されて前記映像表示装置２０に表示される。すなわち、前記演奏曲のジャンルは、その演奏曲の出力に際して再生される背景映像を指定する背景映像指定情報として機能する。なお、前記背景映像とジャンルとは必ずしも一対一に対応付けられているわけではなく、例えば、１つのジャンルにつき複数の背景映像情報が対応付けられる態様も考えられる。この場合、所定の演奏曲の演奏に際して、その演奏曲のジャンルに対応付けられた複数の背景映像情報のうち何れかの背景映像情報が選択され、前記映像情報デコーダ２２においてデコードされて背景映像として出力される。
【００２１】
図６は、前記ランキングデータベース６２の内容の一例を示す図である。前記選曲ランキングは、好適には、前記演奏曲の選曲回数を前記ジャンル毎に統計して所定期間における累積的な総選曲回数の多いジャンルから順に等級付けしたジャンル別選曲ランキングであり、例えば、「ジャンルNo.1」から「ジャンルNo.64」まで６４種類のジャンルが定められている場合において、前記ランキングデータベース６２には、図６に示すように、それら６４種類のジャンルが上記総選曲回数に応じて第１位「ジャンルNo.12（累積総選曲数2,110回）」、第２位「ジャンルNo.2（累積総選曲数1,890回）」、第３位「ジャンルNo.34（累積総選曲数1,883回）」、・・・、第６４位「ジャンルNo.5（累積総選曲数52回）」というように、第１位から第６４位まで等級付けされたランキングが記憶される。
【００２２】
図２に戻って、前記モデム４２は、前記カラオケ装置１２を公衆電話回線等による通信回線４６に接続するための装置である。カラオケボックス等の店舗にそれぞれ備えられた複数のカラオケ装置１２は、前記通信回線１４を介して前記センタ装置１６に接続されており、それら複数のカラオケ装置１２によって常に新しい曲が演奏可能とされるように、或いは新しい背景映像が出力可能とされるように、随時新たなカラオケ情報や背景映像情報が前記センタ装置１６から前記通信回線１４を介して配信され、前記ハードディスク４０のカラオケデータベース５８や背景映像データベース６０に記憶されるようになっている。すなわち、前記カラオケ装置１２は、電気通信回線を通じて各種情報の送受信を実行し得る通信カラオケ装置である。
【００２３】
図３は、前記センタ装置１６の構成を説明するブロック線図である。この図３に示すように、前記センタ装置１６は、中央演算処理装置であるＣＰＵ７０によりＲＡＭ７４の一時記憶機能を利用しつつＲＯＭ７２に予め記憶されたプログラムに従って信号処理を行う所謂マイクロコンピュータシステムを備えている。また、ＣＲＴコントローラ７６により制御されるＣＲＴ等の映像表示装置７８、インターフェイス８０を介して接続される入力装置であるキーボード８２、ハードディスク等の記憶装置８４、及びＣＰＵ７０等を前記通信回線１４に接続するための装置であるモデム８６を備えている。
【００２４】
上記記憶装置８４には、前記カラオケ情報を記憶するためのカラオケデータベース８８及び背景映像情報を記憶するための背景映像情報データベース９０が設けられている。このカラオケデータベース８８及び背景映像情報データベース９０は、前記カラオケ装置１２に配信するためのカラオケ情報及び背景映像情報を記憶するデータベースである。すなわち、前記センタ装置１６は、前記通信回線１４を介して前記複数のカラオケ装置１２に接続されており、それら複数のカラオケ装置１２によって常に新しい曲が演奏可能とされるように、或いは新しい背景映像が出力可能とされるように、随時新たなカラオケ情報や背景映像情報を前記通信回線１４を介して送信できるようになっている。
【００２５】
図４は、前記カラオケ装置１２のＣＰＵ３４及びセンタ装置１６のＣＰＵ７０に備えられた制御機能の要部を説明する機能ブロック線図である。この図４に示す選曲手段１００、ランキング統計手段１０２、及び映像送信要求手段１０４は前記カラオケ装置１２のＣＰＵ３４に機能的に備えられたものであり、要求映像送信手段１０６は前記センタ装置１６のＣＰＵ７０に機能的に備えられたものである。
【００２６】
選曲手段１００は、前記リモコン５４や電子早見本装置５６等の操作に応じて選択入力される所定の演奏曲を演奏待ち曲として前記ＲＡＭ３０に形成された予約曲リストに記憶する。この予約曲リストに記憶された演奏待ち曲は、基本的には選曲入力の行われた順番である演奏順に従って演奏されるようになっており、所定の演奏曲が順番になった場合には、その演奏曲の演奏情報及び歌詞情報が前記カラオケデータベース５８から読み出されて前記ＲＡＭ３０へ送られると共に、その演奏曲のジャンルに対応付けられた背景映像を出力させるための背景映像情報が読み出される。
【００２７】
ランキング統計手段１０２は、前記演奏曲の選曲回数を前記ジャンル毎に統計してランク付けする。例えば、上記選曲手段１００による選曲回数を前記ジャンル毎に計算し、所定期間における累積的な総選曲回数の多いジャンルから順に等級付けすることで、図６に示すようなジャンル別選曲ランキングを形成して前記ランキングデータベース６２に記憶する。
【００２８】
図５は、映像送信要求手段１０４及び要求映像送信手段１０６による処理について説明する図である。この図５に示すように、映像送信要求手段１０４は、上記ランキング統計手段１０２により統計されたランキングに基づいて上位のジャンルから優先的に前記センタ装置１６へそのジャンルと対応付けられる背景映像を出力させるための背景映像情報の送信を要求する。例えば、所定時間毎に行われる前記センタ装置１６との間の情報の送受信処理において、前記ランキングデータベース６２に記憶されたジャンル別選曲ランキングの上位所定位（例えば、上位３位）までのジャンルと対応付けられる背景映像を出力させるための背景映像情報の送信を前記センタ装置１６へ要求する。
【００２９】
要求映像送信手段１０６は、上記映像送信要求手段１０４により要求された背景映像情報を前記背景映像データベース９０から読み出して前記カラオケ装置１２へ送信する。ここで、好適には、前記カラオケ装置１２からセンタ装置１６へ送信される背景映像送信要求には、そのカラオケ装置１２の背景映像データベース６０に既に記憶されている背景映像情報のリストが含まれており、上記要求映像送信手段１０６は、そのリストにない背景映像情報すなわち背景映像送信要求の送信元であるカラオケ装置１２の背景映像データベース６０に未だ記憶されていない背景映像情報を前記背景映像データベース９０から読み出して送信する。
【００３０】
前記カラオケ装置１２のハードディスク４０の容量は限られており、従って背景映像データベース６０に記憶される背景映像情報の総数にも限界がある。このため、前記センタ装置１６の背景映像データベース９０に記憶された全ての背景映像情報をダウンロードして記憶することは困難であるが、本実施例のように、前記カラオケ装置１２により演奏される傾向の高いジャンルの背景映像を出力させるための背景映像情報を優先的に取得することで、そのジャンルに対応付けられる背景映像として適宜新しい背景映像を追加することができ、前記カラオケ装置１２によるカラオケ演奏に際して所定の背景映像が繰り返し出力されるのを防ぐことができる。とりわけ、夜間営業店に設置されたカラオケ装置１２に関しては、店舗毎に演奏される演奏曲のジャンルが固定化する傾向が強いため、ランキング上位のジャンルに対応付けられる背景映像を充実させることによる効果は高い。
【００３１】
図７は、前記カラオケ装置１２のＣＰＵ３４による背景映像更新制御について説明するフローチャートであり、所定の周期で繰り返し実行されるものである。
【００３２】
先ず、前記選曲手段１００の動作に対応するステップ（以下、ステップを省略する）ＳＡ１において、前記リモコン５４や電子早見本装置５６等の操作に応じて選択入力される所定の演奏曲が演奏待ち曲として前記ＲＡＭ３０に形成された予約曲リストに記憶され、その演奏順に従ってカラオケ演奏処理が実行される。次に、前記ランキング統計手段１０２の動作に対応するＳＡ２において、ＳＡ１の選曲が前記ランキングデータベース６２のジャンル別選曲ランキングにおける選曲回数として統計され、そのジャンル別選曲ランキングが更新される。次に、ＳＡ３において、背景映像要求タイミングであるか否か、すなわち前記センタ装置１６との情報送受信処理タイミングであるか否かが判断される。このＳＡ３の判断が否定される場合には、それをもって本ルーチンが終了させられるが、ＳＡ３の判断が肯定される場合には、前記映像送信要求手段１０４の動作に対応するＳＡ４において、ＳＡ２にて統計されたランキングに基づいて上位のジャンルから優先的に前記センタ装置１６へそのジャンルと対応付けられる背景映像を出力させるための背景映像情報の送信が要求される。次に、ＳＡ５において、ＳＡ４にて要求された背景映像情報が前記センタ装置１６から送られてきて受信されたか否かが判断される。このＳＡ５の判断が否定されるうちは、ＳＡ５の判断が繰り返されることにより待機させられるが、ＳＡ５の判断が肯定される場合には、ＳＡ６において、前記センタ装置１６から送られてきて受信された背景映像情報が前記背景映像データベース６０に記憶された後、本ルーチンが終了させられる。
【００３３】
図８は、前記センタ装置１６のＣＰＵ７０による背景映像送信制御について説明するフローチャートであり、所定の周期で繰り返し実行されるものである。
【００３４】
先ず、ＳＢ１において、前記カラオケ装置１２からの背景映像送信要求があったか否かが判断される。このＳＢ１の判断が否定される場合には、それをもって本ルーチンが終了させられるが、ＳＢ１の判断が肯定される場合には、ＳＢ２において、要求されたジャンルに対応付けられる背景映像情報が前記背景映像データベース９０から読み出される。次に、ＳＢ３において、ＳＢ２にて読み出された背景映像情報が背景映像送信要求の送信元であるカラオケ装置１２へ送信された後、本ルーチンが終了させられる。以上の制御において、ＳＢ２及びＳＢ３が前記要求映像送信手段１０６の動作に対応する。
【００３５】
このように、本実施例によれば、前記演奏曲の選曲回数を前記ジャンル毎に統計してランク付けするランキング統計手段１０２（ＳＡ２）と、そのランキング統計手段１０２により統計されたランキングに基づいて上位のジャンルから優先的に所定のセンタ装置１６へそのジャンルと対応付けられる背景映像を出力させるための背景映像情報の送信を要求する映像送信要求手段１０４（ＳＡ４）とを、含むことから、前記センタ装置１６からその要求に従った背景映像情報が送信されるので、頻繁に演奏されるジャンルの背景映像を適宜変更することができ、同じ背景映像が連続して出力されるのを好適に防止できる。すなわち、場の雰囲気を盛り上げると共に利用者を飽きさせない背景映像を出力し得るカラオケ装置１２を提供することができる。
【００３６】
また、前記カラオケ装置１２は、前記演奏曲の選曲回数を前記ジャンル毎に統計してランク付けするランキング統計手段１０２と、そのランキング統計手段１０２により統計されたランキングに基づいて上位のジャンルから優先的に前記センタ装置１６へそのジャンルと対応付けられる背景映像を出力させるための背景映像情報の送信を要求する映像送信要求手段１０４とを、含むものであり、前記センタ装置１６は、前記映像送信要求手段１０４により要求された背景映像情報を前記カラオケ装置１２へ送信する要求映像送信手段１０６（ＳＢ２及びＳＢ３）を含むものであることから、前記カラオケ装置１２において頻繁に演奏されるジャンルの背景映像を適宜変更することができ、同じ背景映像が連続して出力されるのを好適に防止できる。すなわち、場の雰囲気を盛り上げると共に利用者を飽きさせない背景映像を出力し得る配信システム１０を提供することができる。
【００３７】
以上、本発明の好適な実施例を図面に基づいて詳細に説明したが、本発明はこれに限定されるものではなく、更に別の態様においても実施される。
【００３８】
例えば、前述の実施例において、前記ランキング統計手段１０２は、前記カラオケ装置１２それぞれにより選曲された演奏曲の選曲回数を前記ジャンル毎に統計してランク付けするものであったが、例えば、斯かる選曲回数を店舗毎に統計してランク付けするものであってもよい。すなわち、複数のカラオケ装置１２により選曲された演奏曲の選曲回数を統合的にランク付けするものであっても構わない。所定の店舗に複数のカラオケ装置１２が設置されている場合、それらのカラオケ装置１２により演奏される演奏曲の傾向は似通ったものになることが多いので、斯かる態様によっても本発明の効果は得られる。
【００３９】
その他、一々例示はしないが、本発明はその趣旨を逸脱しない範囲内において種々の変更が加えられて実施されるものである。
【図面の簡単な説明】
【００４０】
【図１】本発明の音楽再生装置の一実施例であるカラオケ装置及びそのカラオケ装置にコンテンツを配信するための配信システムについて説明する図である。
【図２】図１のカラオケ装置の構成を例示するブロック線図である。
【図３】図１のセンタ装置の構成を説明するブロック線図である。
【図４】図２のカラオケ装置のＣＰＵ及び図３のセンタ装置のＣＰＵに備えられた制御機能の要部を説明する機能ブロック線図である。
【図５】図４の映像送信要求手段及び要求映像送信手段による処理について説明する図である。
【図６】図２のカラオケ装置のハードディスクに設けられたランキングデータベースの内容の一例を示す図である。
【図７】図２のカラオケ装置のＣＰＵによる背景映像更新制御について説明するフローチャートである。
【図８】図３のセンタ装置のＣＰＵによる背景映像送信制御について説明するフローチャートである。
【符号の説明】
【００４１】
１０：配信システム
１２：カラオケ装置（音楽再生装置）
１６：センタ装置
１０２：ランキング統計手段
１０４：映像送信要求手段
１０６：要求映像送信手段
【図１】
2006084493.tif 000003
【図２】
2006084493.tif 000004
【図３】
2006084493.tif 000005
【図４】
2006084493.tif 000006
【図５】
2006084493.tif 000007
【図６】
2006084493.tif 000008
【図７】
2006084493.tif 000009
【図８】
2006084493.tif 000010